(57)【特許請求の範囲】
【請求項１】
パチンコ玉賞球排出装置における玉流下通路に設定された玉整列部を有し、
上記玉流下通路面をフラット状に形成し、
上記玉整列部における玉流下通路のフラット面上方に、パチンコ玉を左右横方向に振分ける異形振分け円板と、パチンコ玉の重なり防止用で前記異形振分け円板より小形状の異形ローラとを、パチンコ玉流下方向に対して反対方向に回転する同一の軸上に交互に配設し、
通路をパチンコ玉１個分に区分する区画壁を上記玉整列部の異形振分け円板の下流側で前記異形振分け円板の半径方向の延長位置に形成した
パチンコ玉賞球排出装置の玉整列機構。
【請求項２】
前記異形振分け円板を、隣り合うものの位相を９０度異ならせて前記軸上に配設した
請求項１記載のパチンコ玉賞球排出装置の玉整列機構。
【請求項３】
前記異形ローラを、隣り合うものの位相を９０度異ならせて前記軸上に配設した
請求項１又は２記載のパチンコ玉賞球排出装置の玉整列機構。
【請求項４】
上記請求項１、２又は３記載の玉整列機構をユニット化して、ユニット化された玉整列機構を排出装置本体の内部に一体に組込んだ
パチンコ玉賞球排出装置。
【発明の詳細な説明】
【０００１】
【産業上の利用分野】
この発明は、入賞時に賞球（パチンコ玉）を排出するようなパチンコ玉賞球排出装置およびその玉整列機構に関する。
【０００２】
【従来の技術】
一般にパチンコ遊技機は入賞時に所定数の賞球（パチンコ玉）を排出するためのパチンコ玉賞球排出装置を備えており、このパチンコ玉賞球排出装置はパチンコ玉補給用ホッパおよび外部玉整列機構の下流に接続された長尺の玉流下通路に配設され、このパチンコ玉賞球排出装置に至るまでの間で不規則状態のパチンコ玉を整列状態にする外部玉整列機構としては、例えば実公平５−１０８４７号公報に記載の機構がある。
【０００３】
すなわち、図７乃至図１０に示す如く、パチンコ玉補給用ホッパ（図示省略）の下端部よりパチンコ玉Ｐ一個分の通路幅Ｌで区画された複数列、例えば５列の区画通路７１，７２，７３，７４，７５を形成する区画壁７６，７７，７８，７９が通路底板８０に一体的に突設形成された玉整列通路８１を設け、この玉整列通路８１のの玉整列部位上方には横方向位置に存在するパチンコ玉Ｐを区画通路７１〜７５に導く複数かつ大径の偏心円板８２…と、パチンコ玉Ｐの重なりを防止する複数かつ小径の偏心ローラ８３…とを同一の軸８４に取付けて成る外部玉整列機構８５である。
【０００４】
この従来の外部玉整列機構８５にあっては、少なくともパチンコ玉補給用ホッパから玉整列部位までの全てがパチンコ玉Ｐ一個分に区画され、上述の通路底板８０上に区画部材および規制部材としての区画壁７６〜７９が形成されている関係上、図７、図８に示す如く二個のパチンコ玉Ｐ，Ｐが互に隣接する区画壁７７，７８の対応位置上面７７ａ，７８ａに乗った場合、双方のパチンコ玉Ｐ，Ｐの重力の関係で、玉詰り現象（いわゆるブリッジ現象）が発生して、良好なパチンコ玉Ｐの流下が阻害される問題点があった。
【０００５】
また上述の偏心円板８２および偏心ローラ８３の配設位置よりも少なくとも上流側（図９の左側）には上述の各区画壁７６〜７９が存在する関係上、図９にαで示す位置のパチンコ玉Ｐの重なりを防止する時、偏心ローラ８３で該パチンコ玉Ｐを動かすが、このパチンコ玉Ｐの挙動は前後方向の動きのみに制限されて、玉詰り（もしくはブリッジ）現象が解消されるのに要する時間が大となる問題点があった。
【０００６】
加えて、図１０に示すように複数列の区画通路７１〜７５における両サイドの区画通路７１，７５を流下するパチンコ玉Ｐに対しては玉整列機構８５で外側に振り分けられる区画壁７６，７９上のパチンコ玉Ｐから外方に向く力を受けるが、区画壁の存在によりパチンコ玉Ｐの動きが悪化するので、複数列にて流下するパチンコ玉Ｐの流下状態にばらつきが発生し、全列にわたって均等な流下状態を確保することができないい問題点があった。
【０００７】
【発明が解決しようとする課題】
この発明の請求項１記載の発明は、フラット状に形成された玉流下通路の上方に異形振分け円板と異形ローラとを交互に配設することで、玉整列部位においてパチンコ玉を振分け、重なり防止する時、パチンコ玉の挙動範囲を前後および左右方向に許容して、玉詰り現象の発生を防止し、また玉流下通路をフラットに形成することでパチンコ玉の挙動に対して不要な抵抗を与えることなく玉流下通路の全列において均等な流下状態を確保することができ、加えて玉整列部位上流の玉流下通路のシンプル化を達成することができるパチンコ玉賞球排出装置の玉整列機構の提供を目的とする。
【０００８】
この発明の請求項２記載の発明は、上記請求項１記載の玉整列機構をユニット化して、このユニット化された玉整列機構を排出装置本体の内部に一体に組込むことで、従前の長尺のレールおよび外部玉整列機構を省略することができ、パチンコ台裏面のシンプル化および賞球用パチンコ玉の高速排出化を達成することができるパチンコ玉賞球排出装置の提供を目的とする。
【０００９】
【課題を解決するための手段】
この発明の請求項１記載の発明は、パチンコ玉賞球排出装置における玉流下通路に設定された玉整列部を有し、上記玉流下通路面をフラット状に形成し、上記玉整列部における玉流下通路のフラット面上方に、パチンコ玉を左右横方向に振分ける異形振分け円板と、パチンコ玉の重なり防止用で前記異形振分け円板より小形状の異形ローラとを、パチンコ玉流下方向に対して反対方向に回転する同一の軸上に交互に配設し、通路をパチンコ玉１個分に区分する区画壁を上記玉整列部の異形振分け円板の下流側で前記異形振分け円板の半径方向の延長位置に形成したパチンコ玉賞球排出装置の玉整列機構であることを特徴とする。
【００１０】
この発明の請求項２記載の発明は、前記異形振分け円板を、隣り合うものの位相を９０度異ならせて前記軸上に配設したことを特徴とする。
【００１１】
この発明の請求項３記載の発明は、前記異形ローラを、隣り合うものの位相を９０度異ならせて前記軸上に配設したことを特徴とする。
【００１２】
この発明の請求項４記載の発明は、上記請求項１、２又は３記載の玉整列機構をユニット化して、ユニット化された玉整列機構を排出装置本体の内部に一体に組込んだパチンコ玉賞球排出装置であることを特徴とする。
【００１３】
【発明の作用および効果】
この発明の請求項１、２又は３記載の発明によれば、捌き効果の向上を図るためパチンコ玉流下方向に対して反対方向に回転する軸に交互に配設された異形振分け円板および重なり防止用の異形ローラで、玉整列部位のフラット状の玉流下通路のパチンコ玉をまず左右横方向に振分け、次いでパチンコ玉の重なりを防止する時、複数のパチンコ玉はその前後方向および左右方向への挙動が許容されるので、従来のような玉詰り現象（いわゆるブリッジ現象）の発生を防止することができる効果がある。
【００１４】
また上述のようにパチンコ玉の挙動範囲を拡大することで、玉詰り解消時間および重なり解消時間の大幅な短縮を図ることができる効果がある。
加えて玉整列部位上流の玉流下通路をフラットに形成し、従来のような区画部材および規制部材を有さない構成としたので、パチンコ玉の挙動に対して不要な抵抗を与えることがなく、玉流下通路の全列において均等な流下状態を確保することができる効果がある。
さらに、玉整列部位上流の玉流下通路のシンプル化を達成することができる効果がある。
【００１５】
この発明の請求項４記載の発明によれば、上記請求項１、２又は３記載の玉整列機構をユニット化して、このユニット化された玉整列機構を排出装置本体の内部に一体に組込んだので、従前の長尺のレールおよび外部玉整列機構を省略することができ、この結果、パチンコ台裏面のシンプル化、設計自由度の向上を図ることができると共に、賞球用のパチンコ玉は長尺のレールを流下することなく速やかに玉排出口に至る（つまり、ホッパ出口と玉排出口との間の距離が大幅に短縮される）ので、賞球用パチンコ玉の高速排出化を達成することができる効果がある。
【００１６】
【実施例】
この発明の一実施例を以下図面に基づいて詳述する。
図面はパチンコ玉賞球排出装置およびその玉整列機構を示し、図１においてパチンコ玉賞球排出装置の排出装置本体１の内部には、ユニット化された玉整列機構２が一体に組込まれている。
【００１７】
上述の玉整列機構２は上端に全列共通の玉供給口３が下端に各列独立の複数の玉排出口４…がそれぞれ開口形成されたハウジング５を設け、このハウジング５には上述の玉供給口３から玉整列部６に至る傾斜角度の緩やかな全列共通の第１玉流下通路７と、上述の玉整列部６に配設される玉整列ローラ８（図２参照）をその上方から側方を介して下方に周回する比較的傾斜角度が急な全列共通の第２玉流下通路９と、玉整列ローラ８の下方から複数の区画壁１０…により各列に区分され玉カウント用カム１１の上方から側方から介して対応する各列の玉排出口４…に至る各列独立の複数の玉排出通路１２…が形成されている。
【００１８】
上述の全列共通の第１および第２の各玉流下通路７，９を形成する通路底板７ａ，９ａは、その両側壁１３，１４（図２参照）以外に、上方へ突出する区画部材および規制部材を一切有さないフラット状に形成されている。
上述の玉整列部６に配設された玉整列ローラ８は図２に示す如く構成している。
【００１９】
すなわち、パチンコ玉Ｐを流下方向に対して反対方向（図１の時計方向）に回転する軸１５を設け、この軸１５にはパチンコ玉Ｐを左右横方向に振分ける大形状の異形振分け円板１６，１７と、パチンコ玉Ｐの重なり防止用の小形状の異形ローラ１８，１９とを交互に配設している。
ここで、上述の各異形振分け円板１６，１７は図５、図６に示す如くその隣り合うものの位相を９０度異ならせると共に、上述の重なり防止用の異形ローラ１８，１９も図３、図４に示す如くその隣り合うものの位相を９０度異ならせている。「異形」とは上述の円板１６，１７およびローラ１８，１９の外周部の半径が軸１５の中心に対して異なることを云う。
【００２０】
上述の重なり防止用の異形ローラ１８，１９は図３、図４に示す如く２つの円弧部２０，２０と、２つの直線部２１，２１とを小径曲率部（いわゆるＲ部）２２…で連設した小形状のローラで、図３の状態下においては円弧部２０，２０が上下対称、図４の状態下においては左右対称となる。
また上述の異形振分け円板１６，１７は図５、図６に示す如く２つの円弧部２３，２３と、２つの直線部２４，２４とを小径曲率部（いわゆるＲ部）２５…で連設した大形状の円板で、図５の状態下においては円弧部２３，２３が左右対称、図６の状態下においては上下対称となる。
【００２１】
さらに図２に示すように上述の異形振分け円板１６，１７は、その振分け効果の向上を図る目的で、外周近傍から外周端にかけて外周側が先細となるテーパ部１６ａ，１７ａをその全周に形成し、パチンコ玉の振分け時に該テーパ部１６ａ，１７ａでパチンコ玉Ｐを斜め下方に向けて振り分けるように構成している。
【００２２】
ところで、上述の各玉排出通路１２毎に設けられた玉カウント用カム１１は、カム軸２６に取付けられると共に、玉カウント用カム１１の周面にはその外周面から径方向に向けて略半円上に窪むパチンコ玉１つ出し用の複数の凹部２７…を等間隔に形成して、区画壁１０で各列に区分されたパチンコ玉Ｐを上述の凹部２７に保持し、この玉カウント用カム１１の時計方向の回転（図１の矢印参照）により該パチンコ玉Ｐを上方から側方へ周回させ、かつパチンコ玉Ｐを案内部材２８で案内しつつ、玉排出口４側へ排出搬送すべく構成している。
【００２３】
また上述の玉排出口４上方における玉排出通路１２には流下するパチンコ玉Ｐを計数する玉計数センサ２９を臨設している。
さらに前述のハウジング５上端における玉供給口３にはパチンコ玉補給用のホッパ３０を連通接続し、上述のホッパ３０下端の出口部とハウジング５の玉排出口４との間の離間距離を大幅に短縮形成している。ここで、上述のハウジング５の外部には玉整列ローラ８の軸１５および玉カウント用カム１１のカム軸２６を駆動する駆動モータ（図示せず）を設け、このハウジング５外の駆動モータとハウジング５内の各要素とが一体ユニット化されている。なお、図中、３１は可動案内ガイド部材である。
【００２４】
このように構成したパチンコ玉賞球排出装置の作用を以下に詳述する。
パチンコ玉補給用のホッパ３０にアトランダムに投入収納された多数個のパチンコ玉Ｐ…は遊技者のパチンコ遊技機による入賞時に賞球信号を受けて駆動モータが回転することにより、全列共通の第１玉流下通路７および全列共通の第２玉流下通路９を介して玉整列部６に至り、ここで玉整列ローラ８の作用で各列に対応するように左右横方向に振り分けられると共に、重なりが防止された後に、区画壁１０で互に区分された玉排出通路１２に至り、さらに玉カウント用カム１１の回転により該玉排出通路１２を介して玉排出４から排出され、パチンコ遊技機前面側の賞球出口部にその所定数が放出される。
【００２５】
ところで、パチンコ玉流下方向に対して反対方向に回転する軸１５に交互に配設された異形振分け円板１６，１７および重なり防止用の異形ローラ１８，１９で、玉整列部６のフラット状の第２玉流下通路９のパチンコ玉Ｐをまず左右横方向に振分け、次いでパチンコ玉Ｐの重なりを防止する時、複数のパチンコ玉Ｐはその前後方向および左右方向への挙動が許容されるので、従来のような玉詰り現象（いわゆるブリッジ現象）の発生を防止することができる効果がある。
【００２６】
また、このようにパチンコ玉Ｐの挙動範囲を拡大することで、玉詰り解消時間および重なり解消時間の大幅な短縮を図ることができる効果があるうえ、上述の振分け円板１６，１７および異形ローラ１８，１９をパチンコ玉流下方向とは逆方向に駆動するので、パチンコ玉Ｐの捌き性能の向上を図ることができる効果がある。
【００２７】
加えて玉整列部６上流の第１および第２の各玉流下通路７，９をフラットに形成し、従来のような区画部材および規制部材を有さない構成としたので、パチンコ玉Ｐの挙動に対して不要な抵抗を与えることがなく、玉流下通路の全列および玉排出通路１２…の全列において均等な流下状態を確保することができる効果がある。
【００２８】
さらに、玉整列部６上流の玉流下通路７，９の構造のシンプル化を達成することができる効果がある。
しかも、上記構成の玉整列機構２をユニット化して、このユニット化された玉整列機構２を排出装置本体１の内部に一体に組込んだので、従前の長尺のレールおよび従来の外部玉整列機構を省略することができ、この結果、パチンコ台裏面のシンプル化、設計自由度の向上を計ることができると共に、賞球用パチンコ玉Ｐは長尺のレールを流下することなく速やかに玉排出口４に至る。換言すれば、ホッパ３０直下のハウジング５の玉供給口３と玉排出口４との間の距離が極めて短いので、賞球用パチンコ玉Ｐの高速排出化を達成することができる効果がある。
【００２９】
この発明の構成と、上述の実施例との対応において、
この発明の玉流下通路は、実施例の第１および第２の各玉流下通路７，９に対応するも、
この発明は、上述の実施例の構成のみに限定されるものではない。
【図面の簡単な説明】
【図１】本発明のパチンコ玉賞球排出装置および玉整列機構を示す断面図。
【図２】図１のＡ−Ａ線に沿う要部拡大断面図。
【図３】異形ローラの説明図。
【図４】図３の異形ローラに対して位相が異なる異形ローラの説明図。
【図５】異形振分け円板の説明図。
【図６】図５の円板に対して位相が異なる異形振分け円板の説明図。
【図７】従来の玉整列機構による玉詰り現象を示す部分斜視図。
【図８】図７の要部縦断面図。
【図９】従来の玉整列機構による重なり防止状態を示す側面視図。
【図１０】従来の玉整列機構の平面図。
【符号の説明】
１…排出装置本体
２…玉整列機構
６…玉整列部
７…第１玉流下通路
９…第２玉流下通路
１５…軸
１６，１７…異形振分け円板
１８，１９…異形ローラ
Ｐ…パチンコ玉
【図１】
0003605863.tif 000002
【図２】
0003605863.tif 000003
【図３】
0003605863.tif 000004
【図４】
0003605863.tif 000005
【図５】
0003605863.tif 000006
【図６】
0003605863.tif 000007
【図７】
0003605863.tif 000008
【図８】
0003605863.tif 000009
【図９】
0003605863.tif 000010
【図１０】
0003605863.tif 000011